(57)【要約】【課題】床上空間を素早く冷やしたり、暖めたりする即効性を有する空調が行える空調システムを提供する。【解決手段】建物１の床下空間４にエアコンディショナの屋内機３が設置されており、床上空間５の床部１ａに、床上吸込部６と床上吹出部７と床上吹出・吸込切替部９とが設けられており、床上吸込部６とエアコンディショナの屋内機３の吸込部３１との間が吸込用ダクト８１で接続され、床上吹出部７とエアコンディショナの屋内機３の吹出部３２との間が吹出用ダクト８２で接続されており、吸込用ダクト８１に、吸込経路切換用の弁８１ａを介して、床下空間４からの床下吸込部３３が設けられ、吹出用ダクト８２に、吹出経路切換用の弁８２ａを介して、床下空間４への床下吹出部３４が設けられた構成とされている。【選択図】図１
2010107085.tif 000002
【特許請求の範囲】
【請求項１】
建物の床下空間に設置された空調装置を備えた空調システムであって、
前記建物の床上空間の床又は壁に、床上吸込部と床上吹出部と床上吹出・吸込切替部とが設けられており、前記床上吸込部と前記空調装置の吸込部との間が吸込用ダクトで接続され、前記床上吹出部と前記空調装置の吹出部との間が吹出用ダクトで接続されており、
前記吸込用ダクトに、吸込経路切換用の弁を介して、前記床下空間からの床下吸込部が設けられ、前記吹出用ダクトに、吹出経路切換用の弁を介して、前記床下空間への床下吹出部が設けられていることを特徴とする空調システム。
【請求項２】
前記空調装置による空調運転は、前記吸込用ダクトの経路を、前記吸込経路切換用の弁により、前記床上吸込部側とするとともに、前記吹出用ダクトの経路を、前記吹出経路切換用の弁により、前記床下吹出部側とする制御を行う床下空調運転と、前記吸込用ダクトの経路を、前記吸込経路切換用の弁により、前記床下吸込部側とするとともに、前記吹出用ダクトの経路を、前記吹出経路切換用の弁により、前記床上吹出部側とする制御を行う床上空調運転とに切り換え可能とされていることを特徴とする請求項１に記載の空調システム。
【請求項３】
前記吸込用ダクト内に、フィルターが設けられていることを特徴とする請求項１又は２に記載の空調システム。
【請求項４】
前記空調装置は、ヒートポンプ式のエアコンディショナの屋内機であり、屋外に設置された屋外機と接続されていることを特徴とする請求項１乃至３のいずれか１項に記載の空調システム。
【請求項５】
前記床下空間は、前記建物の床と基礎底盤コンクリートと基礎側壁コンクリートとに囲まれているとともに、前記基礎側壁コンクリートには基礎断熱材が取り付けられていることを特徴とする請求項１乃至４のいずれか１項に記載の空調システム。
【請求項６】
前記空調装置は、除湿機能を有することを特徴とする請求項１乃至５のいずれか１項に記載の空調システム。
【請求項７】
前記床上吹出部は、窓の近傍に設けられていることを特徴とする請求項１乃至６のいずれか１項に記載の空調システム。
【請求項８】
請求項１乃至７のいずれか１項に記載の空調システムを備えていることを特徴とする建物。
【発明の詳細な説明】
【技術分野】
【０００１】
本発明は、建物の床下空間に空調装置が設置された空調システム及び同空調システムを備えた建物に関するものである。
【背景技術】
【０００２】
従来から、建物の床下空間に空調装置が設置された空調システムが知られている（例えば、特許文献１，２を参照）。
【特許文献１】特開２００６−３１３０４１号公報
【特許文献２】特開２００７−０５１８５９号公報
【発明の開示】
【発明が解決しようとする課題】
【０００３】
しかしながら、これらの従来の空調システムは、いずれも、空調装置の吹出部が床下空間内のみにあるため、冷暖房運転時において、床上空間をほんのりと冷やしたり、ムラなく暖めたりすることができるという床下空調の長所は有するものの、床上空間を素早く冷やしたり、暖めたりする即効性を欠いていた。
【０００４】
そこで、本発明は、床上空間を素早く冷やしたり、暖めたりする即効性を有する空調が行える空調システム及び同空調システムを備えた建物を提供することを目的としている。
【課題を解決するための手段】
【０００５】
前記目的を達成するために、本発明の空調システムは、建物の床下空間に設置された空調装置を備えた空調システムであって、前記建物の床上空間の床又は壁に、床上吸込部と床上吹出部と床上吹出・吸込切替部とが設けられており、前記床上吸込部と前記空調装置の吸込部との間が吸込用ダクトで接続され、前記床上吹出部と前記空調装置の吹出部との間が吹出用ダクトで接続されており、前記吸込用ダクトに、吸込経路切換用の弁を介して、前記床下空間からの床下吸込部が設けられ、前記吹出用ダクトに、吹出経路切換用の弁を介して、前記床下空間への床下吹出部が設けられていることを特徴とする。
【０００６】
ここで、前記空調装置による空調運転は、前記吸込用ダクトの経路を、前記吸込経路切換用の弁により、前記床上吸込部側とするとともに、前記吹出用ダクトの経路を、前記吹出経路切換用の弁により、前記床下吹出部側とする制御を行う床下空調運転と、前記吸込用ダクトの経路を、前記吸込経路切換用の弁により、前記床下吸込部側とするとともに、前記吹出用ダクトの経路を、前記吹出経路切換用の弁により、前記床上吹出部側とする制御を行う床上空調運転とに切り換え可能とされているとよい。
【０００７】
また、前記吸込用ダクト内に、フィルターが設けられているとよい。
【０００８】
さらに、前記空調装置は、ヒートポンプ式のエアコンディショナの屋内機であり、屋外に設置された屋外機と接続されているとよい。
【０００９】
また、前記床下空間は、前記建物の床と基礎底盤コンクリートと基礎側壁コンクリートとに囲まれているとともに、前記基礎側壁コンクリートには基礎断熱材が取り付けられているとよい。
【００１０】
さらに、前記空調装置は、除湿機能を有するとよい。
【００１１】
また、前記床上吹出部は、窓の近傍に設けられているとよい。
【００１２】
本発明の建物は、上記したいずれかの空調システムを備えていることを特徴とする。
【発明の効果】
【００１３】
このような本発明の空調システムは、建物の床下空間に空調装置が設置されている。
【００１４】
そして、建物の床上空間の床又は壁に、床上吸込部と床上吹出部と床上吹出・吸込切替部とが設けられており、床上吸込部と空調装置の吸込部との間が吸込用ダクトで接続され、床上吹出部と空調装置の吹出部との間が吹出用ダクトで接続されており、吸込用ダクトに、吸込経路切換用の弁を介して、床下空間からの床下吸込部が設けられ、吹出用ダクトに、吹出経路切換用の弁を介して、床下空間への床下吹出部が設けられた構成とされている。
【００１５】
こうした構成なので、空調装置により、床又は壁に設けられた床上吹出部から冷気又は暖気を吹き出して、床上空間を素早く冷やしたり、暖めたりする即効性を有する床上空調運転による冷房又は暖房を行うことができる。
【００１６】
また、空調装置の床下吹出部から冷気又は暖気を吹き出し、床下空間から床上空間をほんのりと冷やしたり、ムラなく暖めたりする床下空調運転による冷房又は暖房も行うこともできる。
【００１７】
ここで、空調装置による空調運転は、吸込用ダクトの経路を、吸込経路切換用の弁により、床上吸込部側とするとともに、吹出用ダクトの経路を、吹出経路切換用の弁により、床下吹出部側とする制御を行う床下空調運転と、吸込用ダクトの経路を、吸込経路切換用の弁により、床下吸込部側とするとともに、吹出用ダクトの経路を、吹出経路切換用の弁により、床上吹出部側とする制御を行う床上空調運転とに切り換え可能とされている場合は、上記した床下空調運転による冷房又は暖房と床上空調運転による冷房又は暖房との切り換えが容易に行える。
【００１８】
また、吸込用ダクト内に、フィルターが設けられている場合は、フィルターでほこりなどの侵入を防いで、空調装置を故障しにくくすることができ、定期的にフィルターを交換することで、空調装置の機能を正常に保つためのメンテナンスを容易に行うことができる。
【００１９】
さらに、空調装置が、ヒートポンプ式のエアコンディショナの屋内機であり、屋外に設置された屋外機と接続されている場合は、ヒートポンプを用いるため、省エネルギー性能に優れたものとすることができる。
【００２０】
また、床下空間が、建物の床と基礎底盤コンクリートと基礎側壁コンクリートとに囲まれているとともに、基礎側壁コンクリートには基礎断熱材が取り付けられている場合は、床下空間を断熱構造とするため、床下空間内の冷気又は暖気の熱を屋外に極力漏らすことなく、エネルギー効率のよい床下空調運転による冷房又は暖房を行える。
【００２１】
さらに、空調装置が、除湿機能を有する場合は、床上空間に別途除湿機を設置する必要がなく、日本の湿度の高い夏期の冷房時における除湿を行うことができる。
【００２２】
また、床上吹出部が、窓の近傍に設けられている場合は、床上吹出部から吹き出す冷気又は暖気により、窓の結露やコールドドラフトを防止することができる。
【００２３】
このような本発明の建物は、本発明の空調システムを備えた構成とされているので、上記した効果を奏する建物とすることができる。
【発明を実施するための最良の形態】
【００２４】
以下、本発明の最良の実施の形態について図面に基づいて説明する。
【００２５】
図１は、本実施の形態の空調システムを備えた建物１の概略構成を示している。
【００２６】
まず、このような建物１は、基礎断熱として構築された基礎底盤コンクリート１ｂと、その側縁に立設された基礎側壁コンクリート１ｃと、さらにその上に立設された外壁部１ｄと、その外壁部１ｄの上端開口を塞ぐ天井部１ｅとから主に構成されている。
【００２７】
そして、この天井部１ｅと外壁部１ｄとに囲まれる空間は、床としての床部１ａによって床下空間４と居室などの床上空間５とが区切られている。この床部１ａは、特に床下空間４側からの床下空調を考慮して、床下空間４と床上空間５との間の熱の伝達をある程度許容し、断熱材が貼り付けられていない構成となっている。
【００２８】
また、側壁コンクリート１ｃの床下空間４側には、グラスウールなどの基礎断熱材１０が貼り付けられており、床下空間４内の特に暖気の熱が屋外に極力漏れない断熱構造となっている。
【００２９】
そして、本実施の形態の空調システムは、床下空間４に空調装置としてのエアコンディショナの屋内機３が設置されている。
【００３０】
ここで、この空調装置としてのエアコンディショナは、ヒートポンプ式であり、屋内機３は、屋外に設置された屋外機２と接続されている。
【００３１】
なお、ヒートポンプとは、熱を低温物体と高温物体との間で移動させることで冷却又は加熱をおこなう装置である。
【００３２】
すなわち、ヒートポンプは、二酸化炭素などの熱媒を循環させながら膨張・圧縮をおこなうことで、熱を吸収したり、熱を放出したりして、その熱媒を冷却したり、加熱したりする。
【００３３】
また、エアコンディショナの屋内機３の内部には、屋外機２に繋がっている熱媒循環管路２１が接続されている。
【００３４】
さらに、このエアコンディショナの屋内機３には、除湿機能を有するものが用いられており、床下空間４から屋外へ貫通する排水用のドレイン１２が設けられている。
【００３５】
また、このエアコンディショナの屋内機３は、吸込部３１と吹出部３２とを有している。
【００３６】
さらに、このエアコンディショナの屋内機３には、吹出部３２から冷気又は暖気を様々な強さで吹き出させることが可能なファン（図示せず）が内蔵されている。
【００３７】
さらに、床部１ａには、グリル付きの床上吸込部６と床上吹出部７と床上吹出・吸込切替部９とが設けられている。
【００３８】
ここで、床上吹出部７は、窓１４の近傍に設けられている。
【００３９】
そして、エアコンディショナの屋内機３の吸込部３１と床上吸込部６との間が吸込用ダクト８１で接続されているとともに、エアコンディショナの屋内機３の吹出部３２と床上吹出部７との間が吹出用ダクト８２で接続されている。
【００４０】
ここで、吸込用ダクト８１には、電動ダンパーなどから成る吸込経路切換用の弁８１ａを介して、床下空間４からの床下吸込部３３が設けられている。
【００４１】
また、吹出用ダクト８２には、電動ダンパーなどから成る吹出経路切換用の弁８２ａを介して、床下空間４への床下吹出部３４が設けられている。
【００４２】
さらに、吸込用ダクト８１における吸込経路切換用の弁８１ａとエアコンディショナの屋内機３の吸込部３１との間には、フィルター１１が設けられている。
【００４３】
また、床上空間５には、所望の運転パターンに設定するためのコントローラ１３が設けられている。
【００４４】
次に、本実施の形態の空調システムの空調運転パターンについて説明する。
【００４５】
まず、暖房時の空調運転パターンについて説明する。
【００４６】
床上空間５を、即効性を有する床上空調運転による暖房で暖めたいときは、吸込用ダクト８１の経路を、吸込経路切換用の弁８１ａにより、床下吸込部３３側とするとともに、吹出用ダクト８２の経路を、吹出経路切換用の弁８２ａにより、床上吹出部７側とする制御を行う。
【００４７】
そして、エアコンディショナの屋内機３を稼動させると、図２に示したように、床上空間５から床下空間４へ暖気が対流して、床上空間５が即座に暖まる。
【００４８】
床上空間５を、床下空調運転による暖房で暖めたいときは、吸込用ダクト８１の経路を、吸込経路切換用の弁８１ａにより、床上吸込部６側とするとともに、吹出用ダクト８２の経路を、吹出経路切換用の弁８２ａにより、床下吹出部３４側とする制御を行う。
【００４９】
そして、エアコンディショナの屋内機３を稼動させると、図３に示したように、床下空間４が即座に暖められ、その熱が主に床部１ａを介して床上空間５へ伝達され、床上空間５がムラなく暖まる。
【００５０】
次に、冷房時の空調運転パターンについて説明する。
【００５１】
床上空間５を、即効性を有する床上空調運転による冷房で冷やしたいときは、吸込用ダクト８１の経路を、吸込経路切換用の弁８１ａにより、床下吸込部３３側とするとともに、吹出用ダクト８２の経路を、吹出経路切換用の弁８２ａにより、床上吹出部７側とする制御を行う。
【００５２】
そして、エアコンディショナの屋内機３を稼動させると、図２に示したように、床上空間５から床下空間４へ冷気が対流して、床上空間５が即座に冷やされる。
【００５３】
床上空間５を、床下空調運転による冷房で冷やしたいときは、吸込用ダクト８１の経路を、吸込経路切換用の弁８１ａにより、床上吸込部６側とするとともに、吹出用ダクト８２の経路を、吹出経路切換用の弁８２ａにより、床下吹出部３４側とする制御を行う。
【００５４】
そして、エアコンディショナの屋内機３を稼動させると、図３に示したように、床下空間４が即座に冷やされ、その熱が主に床部１ａを介して床上空間５へ伝達され、床上空間５がほんのりと冷やされる。
【００５５】
なお、これらの冷房時には、コントローラ１３で所望の湿度を設定することにより、エアコンディショナの屋内機３の除湿機能で除湿することもできる。
【００５６】
次に、本実施の形態の作用効果について説明する。
【００５７】
このような本実施の形態の空調システムは、建物１の床下空間４に空調装置としてのエアコンディショナの屋内機３が設置されている。
【００５８】
そして、建物１の床上空間５の床としての床部１ａに、床上吸込部６と床上吹出部７と床上吹出・吸込切替部９とが設けられている。
【００５９】
そのうえ、床上吸込部６とエアコンディショナの屋内機３の吸込部３１との間が吸込用ダクト８１で接続され、床上吹出部７とエアコンディショナの屋内機３の吹出部３２との間が吹出用ダクト８２で接続されており、吸込用ダクト８１に、吸込経路切換用の弁８１ａを介して、床下空間４からの床下吸込部３３が設けられ、吹出用ダクト８２に、吹出経路切換用の弁８２ａを介して、床下空間４への床下吹出部３４が設けられた構成とされている。
【００６０】
こうした構成なので、エアコンディショナの屋内機３により、床部１ａに設けられた床上吹出部７から冷気又は暖気を吹き出して、床上空間５を素早く冷やしたり、暖めたりする即効性を有する床上空調運転による冷房又は暖房を行うことができる。
【００６１】
また、エアコンディショナの屋内機３の床下吹出部３４から冷気又は暖気を吹き出し、床下空間４から床上空間５をほんのりと冷やしたり、ムラなく暖めたりする床下空調運転による冷房又は暖房も行うこともできる。
【００６２】
ここで、空調装置としてのエアコンディショナの屋内機３による空調運転は、吸込用ダクト８１の経路を、吸込経路切換用の弁８１ａにより、床上吸込部６側とするとともに、吹出用ダクト８２の経路を、吹出経路切換用の弁８２ａにより、床下吹出部３４側とする制御を行う床下空調運転と、吸込用ダクト８１の経路を、吸込経路切換用の弁８１ａにより、床下吸込部３３側とするとともに、吹出用ダクト８２の経路を、吹出経路切換用の弁８２ａにより、床上吹出部７側とする制御を行う床上空調運転とに切り換え可能とされている。
【００６３】
このため、上記した床下空調運転による冷房又は暖房と床上空調運転による冷房又は暖房との切り換えが容易に行える。
【００６４】
また、吸込用ダクト８１内に、フィルター１１が設けられているので、フィルター１１でほこりなどの侵入を防いで、エアコンディショナの屋内機３を故障しにくくすることができる。
【００６５】
そのうえ、定期的にフィルター１１を交換することで、エアコンディショナの屋内機３の機能を正常に保つためのメンテナンスを容易に行うことができる。
【００６６】
さらに、空調装置としてのエアコンディショナの屋内機３は、ヒートポンプ式であり、屋外に設置された室外機２に接続されているので、ヒートポンプを用いるため、省エネルギー性能に優れたものとすることができる。
【００６７】
また、床下空間４は、建物１の床としての床部１ａと基礎底盤コンクリート１ｂと基礎側壁コンクリート１ｃとに囲まれているとともに、基礎側壁コンクリート１ｃには基礎断熱材１０が取り付けられている。
【００６８】
このため、床下空間４が断熱構造とされ、床下空間４内の暖気の熱を屋外に極力漏らすことなく、エネルギー効率のよい床下空調運転による冷房又は暖房を行える。
【００６９】
さらに、空調装置としてのエアコンディショナの屋内機３が、除湿機能を有するので、床上空間５に別途除湿機を設置する必要がなく、日本の湿度の高い夏期の冷房時における除湿を行うことができる。
【００７０】
また、床上吹出部７は、窓１４の近傍に設けられているので、床上吹出部７から吹き出す冷気又は暖気により、窓１４の結露やコールドドラフトを防止することができる。
【００７１】
このような本実施の形態の建物１は、本実施の形態の空調システムを備えた構成とされているので、上記した作用効果を奏する建物とすることができる。
【００７２】
また、空調装置としてのエアコンディショナの屋内機３などが、床下空間４に設置されているので、床上空間５は、これらに占用されず、有効に利用することができるうえに、意匠的外観が良い。
【実施例】
【００７３】
以下、前記した実施の形態の実施例について、図４に基づいて説明する。なお、前記実施の形態で説明した内容と同一乃至均等な部分の説明については同一符号を付して説明する。
【００７４】
図４は、実施例の空調システムを備えた建物１Ａの概略構成を示している。
【００７５】
この実施例の建物１Ａでは、中間壁１ｆが設けられており、床上空間５が、居間などの居室側空間５１と廊下などの非居室側空間５２とに区画されるとともに、床上吸込部６及び床上吹出部７が居室側空間５１に設けられ、床上吹出・吸込切替部９が非居室側空間５２に設けられていることが前記実施の形態の建物１と主に異なる。
【００７６】
この実施例の空調システムでは、エアコンディショナの屋内機３により、床部１ａに設けられた床上吹出部７から冷気又は暖気を吹き出して、床上空間５を素早く冷やしたり、暖めたりする即効性を有する床上空調運転による冷房又は暖房を行った際に、中間壁１ｆの存在により、居室側空間５１の方が、非居室側空間５２に比べて、より効率良く、冷やされたり、暖められたりする。
【００７７】
ここで、居室側空間５１と非居室側空間５２との間の空気の対流は、中間壁１ｆに設けられたドア１ｇの隙間１５などから十分に可能である。
【００７８】
なお、他の構成及び作用効果については、前記実施の形態と略同様であるので説明を省略する。
【００７９】
以上、図面を参照して、本発明の最良の実施の形態及び実施例を詳述してきたが、具体的な構成は、これらの実施の形態及び実施例に限らず、本発明の要旨を逸脱しない程度の設計的変更は、本発明に含まれる。
【００８０】
例えば、上記実施の形態及び実施例では、本発明の空調システムの説明を簡単に行えるように、建物１，１Ａの構造などを単純化したが、これに限定されない。
【００８１】
すなわち、２階以上の階から成る複数の部屋を有する建物において、本発明の空調システムを適用するようにして実施してもよい。
【００８２】
また、必要に応じて、空調装置としてのエアコンディショナの屋内機３を床下空間４に複数台設置し実施してもよい。
【００８３】
さらに、上記実施の形態及び実施例では、空調装置としてヒートポンプ式の屋内機３を用いて実施したが、これに限定されない。
【００８４】
例えば、暖房運転だけを目的とする際は、空調装置として電熱器などを用いて実施してもよい。
【００８５】
また、上記実施の形態及び実施例では、床上吸込部６及び床上吹出部７並びに床上吹出・吸込切替部９を床部１ａに設けて実施したが、これに限定されず、これらを床上空間５の内壁などに設けて実施してもよい。
【図面の簡単な説明】
【００８６】
【図１】本発明の最良の実施の形態の空調システムを備えた建物の概略構成を示す説明図である。
【図２】本実施の形態の空調システムにおいて、即効性を有する床上空調運転による暖房又は冷房を行った状態を示す説明図である。
【図３】本実施の形態の空調システムにおいて、床下空調運転による暖房又は冷房を行った状態を示す説明図である。
【図４】実施例の空調システムを備えた建物の概略構成を示す説明図である。
【符号の説明】
【００８７】
１      建物
１Ａ    建物
１ａ    床部（床）
１ｂ    基礎底盤コンクリート
１ｃ    基礎側壁コンクリート
２      エアコンディショナの屋外機
３      エアコンディショナの屋内機（空調装置）
３１    吸込部
３２    吹出部
３３    床下吸込部
３４    床下吹出部
４      床下空間
５      床上空間
６      床上吸込部
７      床上吹出部
８１    吸込用ダクト
８１ａ  吸込経路切換用の弁
８２    吹出用ダクト
８２ａ  吹出経路切換用の弁
９      床上吹出・吸込切替部
１０    基礎断熱材
１１    フィルター
１４    窓
【図１】
2010107085.tif 000003
【図２】
2010107085.tif 000004
【図３】
2010107085.tif 000005
【図４】
2010107085.tif 000006